(57)【特許請求の範囲】
【請求項１】
挿入口から挿入された媒体を搬送する搬送手段と、
駆動手段と、
前記駆動手段の回転軸の一方の端部に支持された送風手段と、を備え、
前記送風手段は、第１の開口部と第２の開口部とを有し、前記駆動手段の回転軸の一方の端部に支持されたハウジングと、前記ハウジング内に格納され、前記駆動手段の回転軸の一方の端部に連結された羽根と、前記駆動手段の回転軸が一方向に回転すると、前記第１の開口部から吸い込んだ空気を前記第２の開口部から前記挿入口に向かって吐き出し、前記駆動手段の回転軸が他方向に回転すると、前記第２の開口部から吸い込んだ空気を前記第１の開口部から前記挿入口に向かって吐き出すように、前記ハウジングの回転を拘束するストッパと、を備える媒体の搬送装置。
【請求項２】
前記搬送手段は、搬送ローラと、前記駆動手段と、前記駆動手段の回転軸の他方の端部に連結され、前記搬送ローラに前記駆動手段の駆動力を伝達する伝達手段と、を備える請求項１に記載の媒体の搬送装置。
【請求項３】
前記第１の開口部と前記第２の開口部とは、前記駆動手段の回転軸の長手方向に離間した位置に配置されている請求項１又は２に記載の媒体の搬送装置。
【請求項４】
前記羽根は、前記駆動手段の回転軸が一方向に回転すると、前記第１の開口部から吸い込まれた空気を前記第２の開口部に送り出し、前記駆動手段の回転軸が他方向に回転すると、前記第２の開口部から吸い込まれた空気を前記第１の開口部に送り出す請求項１乃至３のいずれか１項に記載の媒体の搬送装置。
【請求項５】
前記挿入口を有する前記媒体の搬送路をさらに備え、
前記ハウジングは、前記搬送路内に空気が前記第１の開口部又は前記第２の開口部から吐き出されるように、前記ストッパによって回転が拘束される請求項１乃至４のいずれか１項に記載の媒体の搬送装置。
【請求項６】
前記搬送路の端部に前記ハウジングを接触させ、前記搬送路の端部を前記ストッパとして機能させる請求項５に記載の媒体の搬送装置。
【請求項７】
前記第１の開口部又は前記第２の開口部は、前記媒体の侵入を防ぐ侵入防止部を備える請求項１乃至６のいずれか１項に記載の媒体の搬送装置。
【請求項８】
請求項１乃至７のいずれか１項に記載の媒体の搬送装置と、
前記媒体の情報を読み取り、又は書き込む読取／書込手段と、
を備える媒体の処理装置。
【発明の詳細な説明】
【技術分野】
【０００１】
本発明は、媒体の搬送装置及び処理装置に関する。
【背景技術】
【０００２】
特許文献１乃至３に開示されているように、例えば媒体であるＩＣ（Integrated Circuit）カードの情報を読み込んだり、当該ＩＣカードに情報を書き込んだりする処理装置が公知である。このような処理装置は、ＩＣカードから正常に情報を読み込んだり、当該ＩＣカードに情報を書き込んだりすることができるように、内部への埃等の異物の侵入を防いだり、ＩＣカードに付着した異物が除去できる構成であることが好ましい。
【０００３】
例えば特許文献２の処理装置は、ＩＣカードを挿入した際に、板バネに設けられたクリーニング部材が当該ＩＣカードのＩＣ端子部及びＩＣ接点に接触して、両部材をクリーニングする。そして、ＩＣカードを更に押し込むと、リンク機構によりＩＣ接点が移動し、ＩＣ接点がＩＣカードのＩＣ端子部に接触して、情報の書込／読込を行う。
【０００４】
特許文献３の処理装置は、カードの搬送路とは別に筐体を貫通する通気管が形成されている。当該通気管により、筐体の内外で気圧差があっても、筐体に対して出入りする空気が通気管内を通り、空気に含まれる塵埃が搬送路内に侵入することを抑制することができる。
【０００５】
ちなみに、特許文献４のインクジェット記憶装置は、搬送ローラの回転軸に設けられた羽根によって、インクミストを吸引する。
【先行技術文献】
【特許文献】
【０００６】
【特許文献１】特開平６−３２５２２０号公報
【特許文献２】特開平１０−１６２１０６号公報
【特許文献３】特開２００９−１７６０７８号公報
【特許文献４】特開２００９−２３４０７３号公報
【発明の概要】
【発明が解決しようとする課題】
【０００７】
特許文献２の処理装置は、リンク機構等を用いて異物を除去するため、異物を除去するための機構が複雑である。
また、特許文献３の処理装置は、一度筐体内に異物が侵入すると除去することができない。
【０００８】
本発明の目的は、上述した課題を解決する媒体の搬送装置及び処理装置を提供することにある。
【課題を解決するための手段】
【０００９】
本発明の一形態に係る媒体の搬送装置は、挿入口から挿入された媒体を搬送する搬送手段と、駆動手段と、前記駆動手段の回転軸の一方の端部に支持された送風手段と、を備え、前記送風手段は、第１の開口部と第２の開口部とを有し、前記駆動手段の回転軸の一方の端部に支持されたハウジングと、前記ハウジング内に格納され、前記駆動手段の回転軸の一方の端部に連結された羽根と、前記駆動手段の回転軸が一方向に回転すると、前記第１の開口部から吸い込んだ空気を前記第２の開口部から前記挿入口に向かって吐き出し、前記駆動手段の回転軸が他方向に回転すると、前記第２の開口部から吸い込んだ空気を前記第１の開口部から前記挿入口に向かって吐き出すように、前記ハウジングの回転を拘束するストッパと、を備える。
【発明の効果】
【００１０】
本発明によれば、簡単な機構で異物を除去できる媒体の搬送装置及び処理装置を提供することができる。
【図面の簡単な説明】
【００１１】
【図１】本発明の実施の形態に係る媒体の処理装置を概略的に示す平面図である。
【図２】本発明の実施の形態に係る媒体の処理装置を概略的に示す側面図である。
【図３】送風手段を概略的に示す断面図である。
【図４】本発明の実施の形態に係る媒体の処理装置における、媒体の搬入時の様子を概略的に示す図である。
【図５】本発明の実施の形態に係る媒体の処理装置における、媒体の搬出時の様子を概略的に示す図である。
【図６】媒体の搬入時での送風手段における第１の部屋の断面図である。
【図７】媒体の搬入時での送風手段における第２の部屋の断面図である。
【図８】媒体の搬出時での送風手段における第１の部屋の断面図である。
【図９】媒体の搬出時での送風手段における第２の部屋の断面図である。
【発明を実施するための形態】
【００１２】
本発明の実施の形態に係る媒体の搬送装置及び処理装置について説明する。但し、本発明が以下の実施の形態に限定される訳ではない。また、説明を明確にするため、以下の記載及び図面は、適宜、簡略化されている。
【００１３】
本実施の形態の媒体の処理装置（以下、単に処理装置という場合がある。）は、例えばＩＣガード等の媒体の情報を読み込んだり、媒体に情報を書き込んだりする処理装置であって、現金自動預払機等に好適に用いられる。
【００１４】
この処理装置１は、媒体２の搬送手段３、送風手段４等を備えている。搬送手段３は、駆動手段３１、伝達手段３２、搬送路３３、搬送ローラ３４等を備えている。駆動手段３１は、駆動モータ等の駆動源である。本実施の形態の駆動手段３１は、回転軸３１ａがハウジング３１ｂの両側面から突出している。この駆動手段３１は、例えば搬送路３３に形成された冶具（図示を省略）に固定されている。そして、駆動手段３１の回転軸３１ａは、搬送路３３の長手方向に対して略直交するように配置されている。
【００１５】
伝達手段３２は、第１及び第２のプーリ３２ａ及び３２ｂ、ベルト３２ｃを備えている。第１のプーリ３２ａは、駆動手段３１の回転軸３１ａの一方の端部に設けられている。第２のプーリ３２ｂは、後述する搬送ローラ３４の軸３４ａの端部に設けられている。ベルト３２ｃは、第１のプーリ３２ａと第２のプーリ３２ｂとに渡されている。その結果、駆動手段３１の駆動力が搬送ローラ３４に伝達される。
【００１６】
搬送路３３は、媒体２が移動する際に当該媒体２をガイドする。詳細には、上下方向に間隔を開けて第１及び第２のガイド部材３３ａ及び３３ｂを備えている。当該間隔は、媒体２の厚さより余裕を持った間隔とされている。第１及び第２のガイド部材３３ａ及び３３ｂは、長尺部材であり、媒体２の面内方向への回転を拘束するように側面３３ｃ及び３３ｄを備えている。つまり、搬送路３３は、略筒状に形成されている。
【００１７】
このような第１及び第２のガイド部材３３ａ及び３３ｂは、例えば処理装置の筐体（図示を省略）に固定されており、一方の端部が媒体２の挿入口３３ｅとして当該筐体から露出している。そして、第１及び第２のガイド部材３３ａ及び３３ｂには、搬送ローラ３４のローラ３４ｂが搬送路３３内部に露出するように、開口部３３ｆが形成されている。
【００１８】
この搬送路３３の長手方向に沿って、挿入口３３ｅ側から順に、媒体２が当該搬送路３３内に挿入されたことを検知する監視センサ５、媒体２の磁気情報を読み取ったり、媒体２に情報を書き込んだりするための磁気ヘッド６、媒体２のＩＣ端子部から情報を読み取ったり、媒体２に情報を書き込んだりするためのＩＣプローブ７、媒体２の挿入側端部の位置決めを行う位置決めセンサ８が配置されている。媒体２が搬送路３３内を移動する際に、これらの監視センサ５、磁気ヘッド６、ＩＣプローブ７及び位置決めセンサ８が良好に作動するように、第１及び第２のガイド部材３３ａ及び３３ｂに開口部（図示を省略）が形成されている。
【００１９】
さらに上側に配置される第１のガイド部材３３ａの所定の位置には、送風手段４を配置するための開口部３３ｇが形成されている。本実施の形態の開口部３３ｇは、磁気ヘッド６とＩＣプローブ７との間の位置に配置されている。
【００２０】
ちなみに、第１及び第２のガイド部材３３ａ及び３３ｂにおける側縁部分は、媒体２が移動する際に引っ掛からないように湾曲した形状とされている。
【００２１】
搬送ローラ３４は、軸３４ａ、ローラ３４ｂを備えている。本実施の形態の搬送ローラ３４は、上下に対になって搬送路３３の長手方向に対して略直交するように配置されており、この一対の搬送ローラ３４が搬送路３３の長手方向に間隔を開けて３個配置されている。そして、最も搬送路３３の挿入口３３ｅ側に配置された、上側の搬送ローラ３４の軸３４ａに伝達手段３２の第２のプーリ３２ｂが設けられている。ここで、搬送ローラ３４の配置は、媒体２を良好に搬入及び搬出することができるように設定される。つまり、搬送ローラ３４の配置は、挿入口３３ｅから挿入された媒体２の挿入側端部が位置決めセンサ８で検知されるように当該媒体２を搬入でき、且つその状態の媒体２を挿入口３３ｅまで搬出できるように設定される。これにより、詳細は後述するが、媒体２の搬入時は、駆動手段３１の駆動力が搬送ローラ３４を介して、挿入口３３ｅから挿入された媒体２に伝達され、当該媒体２は磁気ヘッド６で情報が読み取られたり、情報が書き込まれたりしつつ、挿入側端部が位置決めセンサ８の位置まで到達するように搬入され、ＩＣプローブ７でＩＣ端子部から情報が読み取られたり、情報が書き込まれたりする。一方、媒体２の搬出は、駆動手段３１の駆動力が搬送ローラ３４を介して媒体２に伝達され、当該媒体２は挿入口３３ｅまで搬出される。
【００２２】
送風手段４は、ハウジング４１、羽根４２、ストッパ４３を備えている。送風手段４は、図１及び２に示すように、搬送路３３の開口部３３ｇ内に配置されている。ハウジング４１は、図１に示すように、駆動手段３１に近い側の第１の部屋４１ａと駆動手段３１に遠い側の第２の部屋４１ｂとを備えている。第１の部屋４１ａの側面視は、図２に示すように、略カム形状に形成されており、中空構造である。第１の部屋４１ａにおける長軸側の端部近傍に第１の開口部４１ｃが形成されている。つまり、第１の開口部４１ｃは、第１の部屋４１ａにおける長軸側の端部に向かって傾斜する面（図２の状態では上面）に形成されている。
【００２３】
また、第２の部屋４１ｂの側面視も、略カム形状に形成されており、中空構造である。第２の部屋４１ｂにおける長軸側の端部近傍に第２の開口部４１ｄが形成されている。つまり、第２の開口部４１ｄは、第２の部屋４１ｂにおける長軸側の端部に向かって傾斜する面（図２の状態では下面）に形成されている。
【００２４】
第１の部屋４１ａと第２の部屋４１ｂとは、図１乃至３に示すように、回転中心（駆動手段３１の回転軸３１ａ）を中心とした点対称に連結されており、第１の部屋４１ａの中空部分と第２の部屋４１ｂの中空部分とは連通している。
【００２５】
このようなハウジング４１は、駆動手段３１の回転軸３１ａの他方の端部に支持されている。その結果、第１の開口部４１ｃと第２の開口部４１ｄとは、駆動手段３１の回転軸３１ａの長手方向に離間して配置される。
【００２６】
ハウジング４１には、駆動手段３１の回転軸３１ａが回転した際に駆動力の一部が伝達される。そのため、ハウジング４１は、搬送路３３の開口部３３ｇ内で媒体２の搬入方向又は搬出方向に回転する。本実施の形態では、図３に示すように、駆動手段３１の回転軸３１ａの他方の端部が、第１の部屋４１ａに形成された貫通孔４１ｅに通され、第２の部屋４１ｂの内側面に形成された嵌合部４１ｆに嵌め込まれている。このとき、貫通孔４１ｅ及び嵌合部４１ｆの直径は、駆動手段３１の回転軸３１ａとの摩擦力によって、駆動手段３１の駆動力の一部がハウジング４１に伝達され、後述するようにハウジング４１がストッパ４３に引っ掛かって回転が拘束された際に、駆動手段３１の駆動力を逃がすことができるように設定される。
【００２７】
羽根４２は、ハウジング４１内に格納されており、駆動手段３１の回転軸３１ａの他方の端部に連結されている。本実施の形態の羽根４２は、複数の翼４２ａを備えている。この羽根４２は、第１の部屋４１ａに略格納されている。そして、羽根４２は、媒体２を搬入するために駆動手段３１の回転軸３１ａが矢印Ａ方向（図４等を参照）に回転すると、第１の部屋４１ａの第１の開口部４１ｃから空気が吸い込まれて、当該空気が第２の部屋４１ｂの第２の開口部４１ｄから吐き出され、且つ媒体２を搬出するために駆動手段３１の回転軸３１ａが矢印Ｂ方向（図５等を参照）に回転すると、第２の部屋４１ｂの第２の開口部４１ｄから空気が吸い込まれて、当該空気が第１の部屋４１ａの第１の開口部４１ｃから吐き出されるように設計される。例えば、具体的な図示を省略したが、翼４２ａは、矢印Ａ方向に向かって下方に傾斜するように設計される。
【００２８】
ストッパ４３は、駆動手段３１の回転軸３１ａから駆動力の一部が伝達されたハウジング４１を所定の位置に拘束する。詳細には、ストッパ４３は、図４及び５に示すように、ハウジング４１が矢印Ａ方向に回転すると、第２の部屋４１ｂの第２の開口部４１ｄが搬送路３３の開口部３３ｇにおける挿入口３３ｅ側近傍で略下方（但し、若干挿入口３３ｅ側に向いていることが好ましい。）に向かって配置され、且つハウジング４１が矢印Ｂ方向に回転すると、第１の部屋４１ａの第１の開口部４１ｃが搬送路３３の開口部３３ｇにおける挿入口３３ｅ側近傍で略下方（但し、若干挿入口３３ｅ側に向いていることが好ましい。）に向かって配置されるように、ハウジング４１の回転を拘束する。
【００２９】
本実施の形態では、第１のガイド部材３３ａにおける開口部３３ｇの挿入口３３ｅ側の縁部がストッパとして機能する。つまり、ハウジング４１が矢印Ａ方向に回転すると、第２の部屋４１ｂの長軸側の端部が第１のガイド部材３３ａにおける開口部３３ｇの挿入口３３ｅ側の縁部の上面に接触して、ハウジング４１の回転が拘束される。一方、ハウジング４１が矢印Ｂ方向に回転すると、第１の部屋４１ａの長軸側の端部が第１のガイド部材３３ａにおける開口部３３ｇの挿入口３３ｅ側の縁部の下面に接触して、ハウジング４１の回転が拘束される。
【００３０】
ここで、図３及び４に示すように、ハウジング４１の回転が拘束されたとき、第１及び第２の開口部４１ｃ及び４１ｄが挿入口３３ｅ側に配置されるように、ストッパ４３の位置が設定される。
【００３１】
これにより、媒体２を搬入するために駆動手段３１の回転軸３１ａが矢印Ａ方向に回転したとき、及び媒体２を搬出するために駆動手段３１の回転軸３１ａが矢印Ｂ方向に回転したとき共に、第１及び第２の開口部４１ｃ及び４１ｄから空気が搬送路３３内に吐き出され、当該空気が挿入口３３ｅに向かって送り出される。このとき、送風手段４は、搬送手段３と共通の駆動手段３１によって駆動される。そのため、処理装置１の小型化に寄与できる。
【００３２】
このような構成の処理装置は、以下のように動作する。先ず、ユーザが媒体２を挿入口３３ｅから挿入すると、監視センサ５が媒体２を検知し、検知信号を制御手段（図示を省略）に出力する。制御手段は、駆動手段３１の回転軸３１ａを矢印Ａ方向に回転するように当該駆動手段３１を制御する。これにより、搬送ローラ３４が回転し、当該搬送ローラ３４によって媒体２を処理装置１の内方に搬入する。
【００３３】
同時に、ハウジング４１が矢印Ａ方向に回転して、第２の部屋４１ｂの長軸側の端部がストッパ４３に接触し、ハウジング４１の回転を拘束する。このとき、図６及び７に示すように、羽根４２が矢印Ａ方向に回転することで当該羽根４２内が負圧となり、第１の部屋４１ａの第１の開口部４１ｃから空気が吸い込まれる。そして、吸い込まれた空気は、第２の部屋４１ｂに押し出されて、第２の部屋４１ｂの第２の開口部４１ｄから吐き出される。吐き出された空気は、図３に示すように、搬送路３３内に沿って挿入口３３ｅまで送り出される。これにより、媒体２の挿入や搬入と共に、異物が処理装置１内に侵入することを殆ど防ぐことができる。
【００３４】
さらに駆動手段３１の回転軸３１ａが矢印Ａ方向に回転して、搬送ローラ３４によって媒体２を処理装置１の内方に搬送し、磁気ヘッド６上で媒体２の磁気読取／書込部を通過させ、磁気ヘッド６で媒体２の情報を読み取って制御手段に出力したり、制御手段から出力された情報を媒体２に書き込んだりする。
【００３５】
さらに駆動手段３１の回転軸３１ａが矢印Ａ方向に回転して、搬送ローラ３４によって媒体２を処理装置１の内方に搬送し、位置決めセンサ８が媒体２の挿入側端部を検知すると、検知信号を制御手段に出力する。制御手段は、駆動手段３１の回転軸３１ａの回転が停止するように当該駆動手段３１を制御する。そして、制御手段は、ＩＣプローブ７が下降するように当該ＩＣプローブ７を制御し、ＩＣプローブ７の先端部を媒体２のＩＣ端子部に接触させる。ＩＣプローブ７は、媒体２のＩＣ端子部から情報を読み取って制御手段に出力したり、制御手段から出力された情報を媒体２のＩＣ端子部に書き込んだりする。
【００３６】
一方、所定の処理が終了すると、制御手段は駆動手段３１の回転軸３１ａが矢印Ｂ方向に回転するように当該駆動手段３１を制御する。これにより、搬送ローラ３４が回転し、当該搬送ローラ３４によって媒体２を挿入口３３ｅ側に搬出する。それと共に、ハウジング４１が矢印Ｂ方向に回転して、第１の部屋４１ａの長軸側の端部がストッパ４３に接触し、ハウジング４１の回転を拘束する。このとき、図８及び９に示すように、羽根４２が矢印Ｂ方向に回転することで当該羽根４２内が負圧となり、第２の部屋４１ｂの第２の開口部４１ｄから空気が吸い込まれる。そして、吸い込まれた空気は、第１の部屋４１ａに押し出されて、第１の部屋４１ａの第１の開口部４１ｃから吐き出される。吐き出された空気は、図４に示すように、搬送路３３内に沿って挿入口３３ｅまで送り出される。これにより、処理装置１内に残存する異物を挿入口３３ｅから排出することができ、異物が処理装置１内に残留することを殆ど防ぐことができる。
【００３７】
このように、媒体２の挿入時や搬入時及び搬出時で空気を搬送路３３内に沿って挿入口３３ｅに向かって送風することにより、異物の侵入及び残留を略防ぎ、良好に媒体２の情報を読み取ったり、媒体２に情報を書き込んだりすることができる。
【００３８】
しかも、送風手段４は複雑な構成でなく、駆動手段３１の回転軸３１ａに送風手段４を支持させただけの簡単な構成である。そのため、処理装置１の小型化及びメンテナンスの容易化に寄与できる。特に本実施の形態の送風手段４は、搬送手段３と共通の駆動手段３１によって駆動されている。よって、処理装置１の小型化により寄与できる。
【００３９】
本発明は上記実施の形態に限られたものではなく、趣旨を逸脱しない範囲で適宜変更することが可能である。
例えば、ハウジング４１の第１の開口部４１ｃ又は第２の開口部４１ｄに、変形した媒体先端や後端が侵入することを防止するためのリブや網等の侵入防止部を形成することができる。
【００４０】
例えば、本実施の形態では、第１の部屋４１ａ内に羽根４２を収容しているが、羽根４２の傾斜向きを逆にして、第２の部屋４１ｂ内に収容しても良い。
【００４１】
例えば、本実施の形態では、駆動手段３１の回転軸３１ａに送風手段４を設けたが、搬送手段３の駆動手段３１とは別の駆動手段で送風手段４を駆動させても良い。この場合、搬送路３３から離れた場所に送風手段４を配置し、搬送路３３と送風手段４とを送風ダクトで連結し、搬送路３３に空気を送り込んでも良い。
【００４２】
例えば、本実施の形態では、磁気ヘッド６とＩＣプローブ７との間に送風手段４を配置したが、送風手段４の配置位置は特に限定されない。
【００４３】
例えば、本実施の形態では、最も挿入口３３ｅ側の搬送ローラ３４に駆動手段３１の駆動力を伝達しているが、全ての搬送ローラ３４に駆動手段３１の駆動力を伝達しても良く、また、任意の複数の搬送ローラ３４に駆動手段３１の駆動力を伝達しても良い。要するに、搬送路３３の長さ等に基づいて、駆動手段３１の駆動力が伝達される搬送ローラ３４を適宜選択すれば良い。
【００４４】
例えば、本実施の形態では、第１及び第２の部屋４１ａ及び４１ｂを略カム形状に形成しているが、この限りでない。第１及び第２の部屋の形状は、回転した際に良好にストッパ４３に引っ掛かることができる形状であれば良い。
【００４５】
例えば、本実施の形態では、第１の開口部４１ｃと第２の開口部４１ｄとを駆動手段３１の回転軸３１ａの長手方向に離間させた位置に配置しているが、離間していなくても良い。この場合、第１の部屋４１ａと第２の部屋４１ｂとに分ける必要が無い。
【符号の説明】
【００４６】
１  処理装置
２  媒体
３  搬送手段
４  送風手段
５  監視センサ
６  磁気ヘッド
７  ＩＣプローブ
８  位置決めセンサ
３１  駆動手段、３１ａ  回転軸、３１ｂ  ハウジング
３２  伝達手段、３２ａ  第１のプーリ、３２ｂ  第２のプーリ、３２ｃ  ベルト
３３  搬送路、３３ａ  第１のガイド部材、３３ｂ  第２のガイド部材、３３ｃ、３３ｄ  側面、３３ｅ  挿入口、３３ｆ  開口部、３３ｇ  開口部、３３ｈ  開口部
３４  搬送ローラ、３４ａ  軸、３４ｂ  ローラ
４１  ハウジング、４１ａ  第１の部屋、４１ｂ  第２の部屋、４１ｃ  第１の開口部、４１ｄ  第２の開口部、４１ｅ  貫通孔、４１ｆ  嵌合部
４２  羽根、４２ａ  翼
４３  ストッパ
【図１】
0005804505.tif 000002
【図２】
0005804505.tif 000003
【図３】
0005804505.tif 000004
【図４】
0005804505.tif 000005
【図５】
0005804505.tif 000006
【図６】
0005804505.tif 000007
【図７】
0005804505.tif 000008
【図８】
0005804505.tif 000009
【図９】
0005804505.tif 000010